(57)【特許請求の範囲】
【請求項１】
横長箱状に形成されたケースと、前記ケースの下部に前記ケースの長手方向と平行に設定された第１の空間に収納され、かつ一端部が前記ケースから前記長手方向と直交する方向に引き出し可能に支持される記録シートと、前記記録シートを前記ケース内に巻き上げる巻き上げ手段と、巻き上げられる前記記録シートから画像を読み取る光学ユニットと、前記ケースにおいて前記第１の空間の上部に位置する第２の空間のうち、左右に分けて収納されるプリンタ部及び基板部とを備えたことを特徴とする電子黒板。
【請求項２】
前記基板部は、前記プリンタ部と前記巻き上げ手段を制御するコントロール基板が前記ケースの前面側に配置され、前記プリンタ部と前記巻き上げ手段に電力を供給する電源基板が前記ケースの背面側に設置されて、構成されていることを特徴とする請求項１記載の電子黒板。
【発明の詳細な説明】
【０００１】
【発明の属する技術分野】
本発明は、可搬性を向上させた電子黒板に関するものである。
【０００２】
【従来の技術】
従来より、電子黒板は、会議室などにおいて広く利用されている。そして、電子黒板の記録シートに議事内容などを筆記して、参加者に見やすく掲示するだけでなく、参加者自身がメモを取らなくとも、筆記内容を用紙に印字して、参加者などに配布できるようになっている。
【０００３】
【発明が解決しようとする課題】
ところが、従来の電子黒板は、一般に、床面から立設される支持枠に固着されるものや、会議室などの垂直な壁面に固定された状態で使用されるものである。しかしながら、このような構成では、使用者が、別の場所や会議室のテーブル上などに、電子黒板を移動して使用することができない。
【０００４】
また、特殊な電子黒板として、箱形のケースと、このケースに対して一端部が引き出し可能に支持された記録シートとを備えるものが提案されている。このものは、概ね大型のスキャナと大型のプリンタを併合したようなものである。そして、使用者が、この種の電子黒板のケースを運搬すれば、電子黒板を移動して使用することも不可能ではない。
【０００５】
しかしながら、従来のこの種の電子黒板では、移動することを前提にして構成されておらず、使用者が手軽に移動させて使用できるとは、言い難いものであった。
【０００６】
そこで本発明は、電子黒板の本来の機能を損なわず、かつ手軽に移動して所望の場所で使用できる電子黒板を提供することを目的とする。
【０００７】
【課題を解決するための手段】
本発明の電子黒板は、横長箱状に形成されたケースと、ケースの下部にケースの長手方向と平行に設定された第１の空間に収納され、かつ一端部がケースから長手方向と直交する方向に引き出し可能に支持される記録シートと、記録シートをケース内に巻き上げる巻き上げ手段と、巻き上げられる記録シートから画像を読み取る光学ユニットと、ケースにおいて第１の空間の上部に位置する第２の空間のうち、左右に分けて収納されるプリンタ部及び基板部とを備えている。
【０００８】
この構成により、電子黒板の本来の機能を損なわず、かつ手軽に移動して所望の場所で使用できる電子黒板を実現できる。
【０００９】
【発明の実施の形態】
請求項１記載の電子黒板は、横長箱状に形成されたケースと、ケースの下部にケースの長手方向と平行に設定された第１の空間に収納され、かつ一端部がケースから長手方向と直交する方向に引き出し可能に支持される記録シートと、記録シートをケース内に巻き上げる巻き上げ手段と、巻き上げられる記録シートから画像を読み取る光学ユニットと、ケースにおいて第１の空間の上部に位置する第２の空間のうち、左右に分けて収納されるプリンタ部及び基板部とを備えている。
【００１０】
この構成により、電子黒板を構成する部材のうち、短尺で重量のあるプリンタ部と基板部とをケースの長手方向の左右にほぼ対象に配置でき、しかも、長尺で重量のある記録シートをケースの中心線にまたがって配置できるので、重量バランスが良く、しかも持ち運びやすく構成できる。また、重量バランスが良いので、記録シートの巻き取り時などの作動時においても、安定性を高く保持することができる。
【００１１】
請求項２記載の電子黒板では、基板部は、プリンタ部と巻き上げ手段を制御するコントロール基板がケースの前面側に配置され、プリンタ部と巻き上げ手段に電力を供給する電源基板がケースの背面側に設置されて、構成されている。
【００１２】
この構成により、ケースの背面を机の上面等に置いた際の安定性をさらに向上できる。
【００１３】
次に図面を参照しながら、本発明の実施の形態について説明する。ここで図１は本発明の一実施の形態における電子黒板の斜視図である。図１において、１は、内部が空洞の横長箱状に形成されたケースである。２は、ケース１から巻き上げ方向Ｙの反対方向に引き出し可能に支持される記録シートである。ここで、巻き上げ方向Ｙは長手方向Ｘに直交する。そして、記録シート２の一端部には、使用者がつかみやすいように、把手３が半固定されている。
【００１４】
４、５は、ケース１の前面左側に設けられ、図３（ａ）の破線で示すように、開閉自在に取り付けられたプリンタ部扉である。プリンタ部扉４、５を開くと後述するプリンタ部２０が露呈し、感熱紙２１等を補充できるようになっている。また、プリンタ部扉４の下端縁とケース１との間には、狭いスリット６があいており、スリット６から印字済みの感熱紙２１が排出され、プリンタ部扉４の下端縁（鋭角になっている）で、排出された感熱紙２１をカットできるようになっている。
【００１５】
また、ケース１の前面の右側には、コピーボタン７、巻き取りボタン８、電源表示ランプ９が配置され、ケース１の右側面には、外部のプリンタなどの情報処理装置にデータを転送するため、コネクタ１０が設けられている。
【００１６】
ケース１の内部は、図２（本発明の一実施の形態における電子黒板の正面図）のようになっている。即ち、ケース１の内部空間は、下側から順に、長手方向Ｘと平行な第１の空間Ｓ１と第２の空間Ｓ２とに分けられている。そして、下側の第１の空間Ｓ１には、そのほぼ全長にわたって記録シート２が収納されている。また、記録シート２の両端部には、ギアキャップ１１、１２が装着されており、そのうちの、ギアキャップ１１には、歯車列１４を介してパルスモータからなる巻き上げモータ１５の駆動力が伝達されている。
【００１７】
即ち、巻き上げモータ１５を駆動すると、記録シート２を巻き上げ方向Ｙに送ることができ、巻き上げモータ１５は巻き上げ手段に相当する。そして、図２に示すように、ケース１の下端部には、リミットスイッチＬＳが配置され、リミットスイッチＬＳが把手３に当接してオンになると、巻き上げモータ１５の駆動が停止されるようになっている。また、ケース１の下端縁のすぐ上部には、巻き上げられる記録シート２に記載された画像を読み取る光学ユニット１３が、記録シート２の幅いっぱいに配置されている。
【００１８】
さらに、第１の空間Ｓ１の上部に設定される第２の空間Ｓ２には、左右方向の重量バランスが最良になるように、左側にプリンタ部２０が配置され、右側に基板部３０が配置されている。また図３（ａ）に示すように、プリンタ部２０のうち、２１は、感熱紙であって、ロール状に巻かれて、その一端部が、スリット６を介してケース１の外部へ向け、下向き（矢印Ｎ１）に引き出されている。また、感熱紙２１の左右には、フランジキャップ２２が装着されて位置ずれが防止されている。そして、矢印Ｎ１方向に引き出された感熱紙２１は、プラテン２３に周接することにより、サーマルヘッド２４に密着し、サーマルヘッド２４が発熱すると、感熱紙２１に画像が印字されるようになっている。
【００１９】
また、第１の空間Ｓ１において、記録シート２は、位置決め部材１８に当接すると共にガイドローラ１９に周接することにより、一定の位置を通過して巻き上げられるようになっている。そして、光学ユニット１３は、位置決め部材１８に当接する箇所において、記録シート２に光源１６からライン状の光を照射し、その反射光をラインイメージセンサ１７で読み取るものである。
【００２０】
また、上述したように、第２の空間Ｓ２の右側には、基板部３０が配置されている。そして、図３（ｂ）に示すように、基板部３０では、プリンタ部２０と巻き上げモータ１５、送りモータ２５及び光学ユニット１３を制御するコントロール基板３２がケース１の前面側に配置され、プリンタ部２０と巻き上げモータ１５、送りモータ２５及び光学ユニット１３に電力を供給する電源基板３１がケース１の背面側に設置されている。このうち、電源基板３１は、大型の部品が実装され、角チップ等の小型軽量の部品が実装されるコントロール基板３２よりも、重い。このため、このような配置を取ることにより、ケース１の背面側を重くして、ケース１の背面を水平面に設置したときの重量バランスを良好に保持することができる。
【００２１】
【発明の効果】
本発明は、以上のように構成したので、重量バランスに優れ、持ち運びやすい電子黒板を得ることができる。
【図面の簡単な説明】
【図１】本発明の一実施の形態における電子黒板の斜視図
【図２】本発明の一実施の形態における電子黒板の正面図
【図３】（ａ）図２Ａ−Ａ断面図
（ｂ）図２Ｂ−Ｂ断面図
【符号の説明】
１  ケース
２  記録シート
１３  光学ユニット
１５  巻き上げモータ
２０  プリンタ部
３０  基板部
３１  電源基板
３２  コントロール基板
Ｓ１  第１の空間
Ｓ２  第２の空間
【図１】
0003608345.tif 000002
【図２】
0003608345.tif 000003
【図３】
0003608345.tif 000004